(57)【特許請求の範囲】
【請求項１】
原水を吐出する単水栓において、
前記原水と浄水器で浄化された浄水とを一体の水栓から吐出可能とし、
原水の吐水、浄水の吐水、及び、止水を、単独の切換装置により切換可能に構成し、
前記単水栓には、原水を該単水栓に供給する原水用導水管、浄水器の出口部に連結された吐水用導水管、浄水器の入口部に連結された浄化用水供給管、及び、浄水器の出口部に連結された原水供給管が嵌入しており、
前記原水用導水管を通じて単水栓に供給された原水は、前記切換装置の操作により、前記浄化用水供給管を通じて浄水器の入口部へ、又は原水供給管を通じて浄水器の出口部へ送出され、
前記浄水器の入口部へ送出された原水は、該浄水器で浄化された後に浄水として前記吐水用導水管を通じて複合単水栓へ送出され、前記浄水器の出口部へ送出された原水は、そのままの状態で吐水用導水管を通じて複合単水栓へ送出される、
ことを特徴とする複合単水栓。
【請求項２】
前記吐水用導水管及び原水供給管は二管ジョイントを介して浄水器の出口部に接続されており、
前記二管ジョイントは、
前記原水供給管から二管ジョイント内に原水が流入した場合には、原水が吐水用導水管を通じて複合単水栓へ供給されて、出口部から浄水器内には浸入しないように構成され、浄水器の出口部から二管ジョイント内に浄水が流入した場合には、浄水が吐水用導水管を通じて複合単水栓へ供給されて、原水供給管には流れ出さないように構成されている、
ことを特徴とする請求項１に記載の複合単水栓。
【発明の詳細な説明】
【０００１】
【発明の属する技術分野】
本発明は、原水と浄水とを一体の水栓から吐出可能とする複合単水栓に関する。
【０００２】
【従来の技術】
従来から、原水として、水又は湯の状態の水道水を吐出するための単水栓は知られており、該単水栓の水回路に浄水器を付設して、原水に加えて浄水をも給水可能に構成する場合があった。
このように、浄水を給水する場合には、前記単水栓とは別に浄水専用の水栓を設けたり、一つの単水栓にて原水の吐水、及び、浄水の吐水を可能に構成したりしていた。
そして、原水と浄水とを同一の単水栓から吐出するように構成した場合には、該単水栓内で原水の通水路と浄水の通水路とがそれぞれ独立して形成されており、吐水口の先端部や水栓本体等に切換弁を設けて、該切換弁を操作することにより原水の吐水と浄水の吐水とを切り換えていた。
この、原水の吐水と浄水の吐水とを切り換える切換弁は、吐水と止水との切り換えを行う切換弁とは別に設けられていた。
【０００３】
【発明が解決しようとする課題】
しかし、前述の如く、単水栓とは別に浄水専用の水栓を設けたり、原水と浄水とを同一の単水栓から吐出するように構成した場合であっても、原水の吐水と浄水の吐水とを切り換える切換弁が、吐水と止水との切り換えを行う切換弁と別に設けられたりしていたのでは、吐水する際に、吐水と止水との切り換えを行う切換弁の操作に加えて、原水の吐水と浄水の吐水とを切り換える切換弁の操作を行う必要があるので、操作が煩雑となったり、誤操作する恐れがあったりした。
また、浄水は一般的に使用頻度がさほど多くないため、浄水器の浄水出口部から浄水の吐水口までの間の通水路内には浄水が長時間滞留し、浄水器により浄化された浄水は、水道水中に含まれている残留塩素が除去された状態にあるので、通水路内に長時間滞留した場合には残留塩素による殺菌作用が期待できず、衛生上良くない場合がある。
【０００４】
【課題を解決するための手段】
本発明の解決しようとする課題は以上の如くであり、次に該課題を解決するための手段を説明する。
即ち、原水を吐出する単水栓において、前記原水と浄水器で浄化された浄水とを一体の水栓から吐出可能とし、原水の吐水、浄水の吐水、及び、止水を、単独の切換装置により切換可能に構成し、前記単水栓には、原水を該単水栓に供給する原水用導水管、浄水器の出口部に連結された吐水用導水管、浄水器の入口部に連結された浄化用水供給管、及び、浄水器の出口部に連結された原水供給管が嵌入しており、前記原水用導水管を通じて単水栓に供給された原水は、前記切換装置の操作により、前記浄化用水供給管を通じて浄水器の入口部へ、又は原水供給管を通じて浄水器の出口部へ送出され、前記浄水器の入口部へ送出された原水は、該浄水器で浄化された後に浄水として前記吐水用導水管を通じて複合単水栓へ送出され、前記浄水器の出口部へ送出された原水は、そのままの状態で吐水用導水管を通じて複合単水栓へ送出される。
【０００５】
また、前記吐水用導水管及び原水供給管は二管ジョイントを介して浄水器の出口部に接続されており、前記二管ジョイントは、前記原水供給管から二管ジョイント内に原水が流入した場合には、原水が吐水用導水管を通じて複合単水栓へ供給されて、出口部から浄水器内には浸入しないように構成され、浄水器の出口部から二管ジョイント内に浄水が流入した場合には、浄水が吐水用導水管を通じて複合単水栓へ供給されて、原水供給管には流れ出さないように構成されている。
【０００７】
【発明の実施の形態】
次に、本発明の実施の形態を説明する。
図１は本発明の複合単水栓及び給水管路を示す正面図、図２は同じく側面図、図３は水栓本体内部を示す正面断面図、図４は同じく平面断面図、図５は原水の吐水状態にある水栓本体内部を示す平面断面図、図６は複合単水栓及び給水管路の別実施例を示す背面図、図７は浄水器の出口部の二管ジョイントを示す側面断面図、図８は図６における複合単水栓の水栓本体内部を示す正面断面図、図９は同じく平面断面図、図１０は原水の吐水状態にある図６における複合単水栓の水栓本体内部を示す平面断面図、図１１は同じく浄水の吐水状態にある水栓本体内部を示す平面断面図である。
【０００８】
まず、本発明の複合単水栓の概要について図１、図２により説明する。キッチン等のカウンター天板１に、原水、及び、浄水を吐出可能に構成した複合単水栓２が取付られている。該複合単水栓２は、水栓本体２ａに設けた切換操作レバー２ｂを回動操作することで、原水と浄水との何れか一方を、吐水パイプ２ｃを通じて吐水口２ｄから選択的に吐出するように構成している。
該複合単水栓２内には、下端部から、複合単水栓２に原水を供給する原水用導水管３、及び、浄水を供給する浄水用導水管４が嵌入しており、該原水用導水管３の下端部には逆止弁６及び止水栓５ａを介して、給水管７が接続されている。
給水管７と原水用導水管３との接続部は分岐して、浄水側止水栓５ｂを介して浄水器６の入口部６ａと連結され、該浄水器６の出口部６ｂは前記浄水用導水管４の下端部と連結されている。
【０００９】
そして、給水管７から供給される原水としての水道水は、原水用導水管３を通じて直接複合単水栓２へ送出されるとともに、給水管７と連結された浄水器６の入口部６ａから該浄水器６へ給水される。浄水器６に供給された原水は、該浄水器６で浄化された後に、浄水として浄水用導水管４を通じて複合単水栓２へ送出される。
このように、原水である水道水と、水道水を浄水器６で浄化した浄水とを複合単水栓２に供給し、切換操作レバー２ｂを回動操作することで、原水と浄水との何れか一方を、吐水口２ｄから選択的に吐出するのである。
尚、原水用導水管３を通じて複合単水栓２へ供給される原水としての水道水は、水道管から直接供給された場合には水として吐水口２ｄから吐出され、途中で給湯器等により加温されて供給された場合には湯として吐水口２ｄから吐出されるものである。
【００１０】
次に、複合単水栓２の原水の吐水、浄水の吐水、及び、止水を切り換える、切換機構について説明する。図３、図４に示すように、複合単水栓２に下端から嵌入する前記原水用導水管３は、水栓本体２ａ内の原水流路１１と連結され、前記浄水用導水管４は浄水流路１２と連結されている。該原水流路１１には連通孔１１ａが開口し、浄水流路１２には連通口１２ａが開口している。
また、水栓本体２ａには切換弁１５が内装されており、該切換弁１５の切換弁軸１５ｃは前記切換操作レバー２ｂと一体的に回動操作されるように構成している。該切換弁軸１５ｃには、軸心方向に切換流路１５ａが形成され、該切換流路１５ａの一端部には、該切換流路１５ａと切換弁軸１５ｃの外周面とを連通する切換連通口１５ｂが開口し、該切換流路１５ａの他端は水栓本体２ａ内に形成される吐出流路１３と常時連通している。水栓本体２ａの上端部から嵌入する吐水パイプ２ｃは、該吐出流路１３と連結されている。
【００１１】
そして、切換操作レバー２ｂにより回動操作される切換弁１５の切換弁軸１５ｃ回動位置によって、原水流路１１の連通口１１ａと切換流路１５ａの切換連通口１５ｂとが連通した状態（図５に示す状態）、浄水流路１２の連通口１２ａと切換流路１５ａの切換連通口１５ｂとが連通した状態、及び、切換流路１５ａの切換連通口１５ｂが原水流路１１の連通口１１ａと浄水流路１２の連通口１２ａとのどちらとも連通していない状態（図３、図４に示す状態）の何れか一つの状態に選択切換されるように構成している。
【００１２】
原水流路１１の連通口１１ａと切換流路１５ａの切換連通口１５ｂとが連通した状態では、原水用導水管３からの原水が、原水流路１１、切換流路１５ａ、及び、吐出流路１３を通過して吐水パイプ２ｃへ案内されて吐水口２ｄから吐出され、複合単水栓２は原水の吐水状態となる。
また、浄水流路１２の連通口１２ａと切換流路１５ａの切換連通口１５ｂとが連通した状態では、浄水用導水管４からの浄水が浄水流路１２、切換流路１５ａ、及び、吐出流路１３を通過して吐水パイプ２ｃへ案内されて吐水口２ｄから吐出さ、複合単水栓２は浄水の吐水状態となる。
さらに、切換流路１５ａの切換連通口１５ｂが原水流路１１の連通口１１ａと浄水流路１２の連通口１２ａとのどちらとも連通していない状態では、原水流路１１の連通口１１ａが切換弁１５により閉塞されているために、原水用導水管３からの原水は原水流路１１よりも下流側へは流出せず、また、浄水流路１２の連通口１２ａが切換弁１５により閉塞されているために、浄水用導水管４からの浄水は浄水流路１２よりも下流側へは流出しないので、複合単水栓２は止水状態となる。
【００１３】
このように、切換弁１５と切換操作レバー２ｂとで構成される単独の切換装置を操作するだけで、複合単水栓２は原水の吐水と、浄水の吐水、止水との切換を行うことができるのである。
これにより、吐水と止水との切換操作と、原水の吐水と浄水の吐水との切換操作とを同時に行うことができ、これらの切換操作が簡便になるとともに、誤操作を防止することができる。
【００１４】
また、前記切換弁１５の切換流路１５ａ、吐出流路１３、及び、吐水パイプ２ｃは、原水用導水管３からの原水を吐水口２ｄから吐出する場合には原水の通水路として機能し、浄水用導水管４からの浄水を吐水口２ｄから吐出する場合には浄水の通水路として機能している。
即ち、切換弁１５よりも下流側においては、原水の通水路と、浄水の通水路とが共通化されているのである。
【００１５】
このように、原水の通水路と浄水の通水路とを共通化することにより、例えば、吐水口２ｄから浄水を吐出した後に原水である水道水を吐出して、通水路である切換流路１５ａ、吐出流路１３、及び、吐水パイプ２ｃの内部に残留している浄水を水道水によって洗浄することができ、該切換装置より下流側において、浄水が通過する通水路内部で雑菌が発生することを防止することができる。
【００１６】
即ち、浄水器６から供給される浄水は、該浄水器６により水道水中に含まれている残留塩素が除去されているので、吐水口２ｄから浄水を吐出した後に、通水路内部に残留した浄水が長時間滞留したままになると、雑菌が発生する恐れがある。しかし、原水用導水管３からの水道水には残留塩素が含まれているため、浄水の吐水後に水道水を吐出して通水路内部を洗浄すると、水道水の残留塩素により殺菌されて、通水路内部で雑菌が発生することを防止できる。
一般的に、複合単水栓２から浄水を吐出する頻度は少なく、水道水の吐水頻度が多いので、通常に使用していれば、浄水の吐水後、短時間の内に水道水が吐水されることとなり、雑菌の発生を抑えて通水路内を衛生的に保つことができる。
【００１７】
次に、本発明の複合単水栓の別実施例として、まず、図６に示す複合単水栓３２の概略構成について説明する。該複合単水栓３２は、キッチン等のカウンター天板１に取付られており、水栓本体３２ａに設けられた切換操作レバー３２ｂを回動操作することにより、原水と浄水との何れか一方を、吐水パイプ３２ｃを通じて吐水口３２ｄから選択的に吐出するように構成している。
該複合単水栓３２内には下端部から、原水としての水道水を複合単水栓３２に供給する原水用導水管３３、下端が浄水器３６の出口部３６ｂに連結された吐水用導水管３４、下端が浄水器３６の入口部３６ａに連結された浄化用水供給管３８、及び、下端が浄水器３６の出口部３６ｂに連結された原水供給管３９が嵌入している。
【００１８】
また、該原水用導水管３３の下端部には逆止弁３６及び止水栓５５を介して給水管３７が接続され、該給水管３７からの原水が原水用導水管３３を通じて複合単水栓３２に供給されている。複合単水栓３２内に供給された原水は、浄化用水供給管３８を通じて浄水器３６の入口部３６ａへ送出されるか、又は、原水供給管３９を通じて浄水器３６の出口部３６ｂへ送出される。
浄化用水供給管３８を通じて浄水器３６の入口部３６ａへ送出された原水は、該浄水器３６で浄化された後に浄水として吐水用導水管３４を通じて複合単水栓３２へ送出され、原水供給管３９を通じて浄水器３６の出口部３６ｂへ送出された原水は、そのままの状態で吐水用導水管３４を通じて複合単水栓３２へ送出される。
【００１９】
図７に示すように、前記吐水用導水管３４及び原水供給管３９は、二管ジョイント４０を介して浄水器３６の出口部３６ａと接続されている。
該二管ジョイント４０には逆止弁４０ａを内装しており、原水供給管３９から二管ジョイント４０内に原水が流入した場合には、原水は吐水用導水管３４を通じて複合単水栓３２へ供給されて、出口部３６ｂから浄水器３６内には浸入しないように構成され、浄水器３６の出口部３６ｂから二管ジョイント４０内に浄水が流入した場合には、浄水が吐水用導水管３４を通じて複合単水栓３２へ供給されて、原水供給管３９には流れ出さないように構成されている。
【００２０】
このように、複合単水栓３２には、原水と浄水とが供給されており、前記切換操作レバー３２ｂを回動操作することで、原水と浄水との何れか一方を、吐水口３２ｄから選択的に吐出するように構成している。
尚、原水用導水管３３を通じて複合単水栓２へ供給される原水としての水道水は、水道管等からそのまま供給された場合には水として吐水口３２ｄから吐出され、途中で給湯器等により加温されて供給された場合には湯として吐水口３２ｄから吐出されるものである。
【００２１】
次に、複合単水栓３２の原水の吐水、浄水の吐水、及び、止水を切り換える、切換機構について説明する。図８、図９に示すように、複合単水栓３２に下端から嵌入する前記原水用導水管３３は、水栓本体３２ａ内の給水流路４１と連結され、前記吐水用導水管３４は吐水流路４４と連結され、前記浄化用水供給管３８は浄化用水流路４３と連結され、前記原水供給管３９は原水流路４２と連結されている。
操作される切換弁４５が内装されており、該切換弁４５は、その一端部が切換操作レバー３２ｂと一体的に連結される切換弁軸４５ａと、該切換弁軸４５ａの他端部にビス５２により取り付けられた第一弁４５ｂ及び第二弁４５ｃと、切換弁軸４５ａが回動自在に螺嵌される弁ケース４５ｄで構成されている。
そして、切換弁１５と切換操作レバー２ｂとにより、水又は湯の吐水、浄水の吐水、及び、止水を切り換える切換装置が構成されている。
【００２２】
第一弁４５ｂ及び第二弁４５ｃはビス５２に摺動自在に嵌装され、該第一弁４５ｂと第二弁４５ｃとの間にはスプリング５１が介装されており、図９において、第一弁４５ｂは原水流路４２方向に、第二弁４５ｃは浄化用水流路４３方向に付勢されている。切換弁４５の切換弁軸４５ａは弁ケース４５ｄの螺子部に螺嵌されており、切換弁軸４５ａの回動操作に伴って軸方向に移動するように構成している。
また、水栓本体３２ａの壁面によって囲まれる、切換弁４５の第一・第二弁４５ｂ・４５ｃ外周部の空間は弁室４７として形成され、給水流路４１の連通孔４１ａによって、該給水流路４１と弁室４７とが連通しており、切換弁軸４５ａに形成された切欠部４５ｅと原水流路４２とが連通孔４５ｆにより連通し、弁室４７と浄化用水流路４３との間には両者を連通する連通孔４３ａが開口し、吐水流路４４は吐水パイプ３２ｃと連通している。該弁室４７と切欠部４５ｅとは、第一弁４５ｂにより分断されており、該連通孔４３ａは第二弁４５ｃにより閉塞されている。
【００２３】
そして、図８、図９に示す切換操作レバー３２ｂの回動状態においては、複合単水栓３２は止水状態となっている。
即ち、原水用導水管３３から給水流路４１に供給され弁室４７内へ浸入した原水は、弁室４７と切欠部４５ｅとが第一弁４５ｂにより分断されているため原水流路４２及び原水供給管３９へは流れ込まず、弁室４７と浄化用水流路４３とを連通する連通孔４３ａが第二弁４５ｃにより閉塞されているため浄化用水流路４３及び浄化用水供給管３８へは流れ込まない。
従って、原水用導水管３３から給水流路４１に供給された原水は、吐水用導水管３４を通じて水栓本体３２ａ内の吐水流路４４に送出されることはなく、吐水口３２ｄから吐水は行われないのである。
【００２４】
一方、図１０に示すように、切換操作レバー３２ｂを図８、図９に示す状態から、一方向（例えば、図１０における上方）に回動操作すると、吐水口３２ｄから原水が吐出されることとなる。
即ち、前記切換弁軸４５ａが、切換操作レバー３２ｂの回動操作に伴って、図１０における浄化用水流路４３方向に移動し、該切換弁軸４５ａにより第一弁４５ｂがスプリング５１の付勢力に抗して浄化用水流路４３方向に移動される。この第一弁４５ｂの移動により、弁室４７と切換弁軸４５ａの切欠部４５ｅとが連通し、弁室４７内に浸入した原水が原水流路４２に流れ込む。
そして、原水流路４２に流れ込んだ原水は、原水供給管３９及び吐水用導水管３４を通じて吐水流路４４に送出され、吐水口３２ｄから吐出されるのである。
【００２５】
また、図１１に示すように、切換操作レバー３２ｂを図８、図９に示す状態から、他方向（例えば、図１１における下方）に回動操作すると、吐水口３２ｄから浄水が吐出されることとなる。
即ち、前記切換弁軸４５ａが、切換操作レバー３２ｂの回動操作に伴って、図１１における原水流路４２方向に移動し、前記ビス５２の頭部５２ａにより第二弁４５ｃがスプリング５１の付勢力に抗して原水流路４２方向に移動される。この第二弁４５ｃの移動により、弁室４７と浄化用水流路４３とが連通し、弁室４７内に浸入した原水が浄化用水流路４３に流れ込む。
そして、浄化用水流路４３に流れ込んだ原水は、浄化用水供給管３８を通じて浄水器３６へ送出され、該浄水器３６にて浄化された後、浄水として吐水用導水管３４を通じて吐水流路４４に送出され、吐水口３２ｄから吐出されるのである。
【００２６】
このように、切換弁４５と切換操作レバー３２ｂとで構成される単独の切換装置を回動操作するだけで、複合単水栓３２は原水の吐水と、浄水の吐水、止水との切換を行うことができるのである。
これにより、吐水と止水との切換操作と、原水の吐水と浄水の吐水との切換操作とを同時に行うことができ、これらの切換操作が簡便になるとともに、誤操作を防止することができる。
【００２７】
また、前記吐水用導水管３４、吐水流路４４、及び、吐水パイプ４２ｃは、原水用導水管３３からの原水を吐水口３２ｄから吐出する場合には原水の通水路として機能し、浄水器３６からの浄水を吐水口３２ｄから吐出する場合には浄水の通水路として機能している。
即ち、浄水器３６の出口部３６ａよりも下流側においては、原水の通水路と、浄水の通水路とが共通化されているのである。
【００２８】
このように、原水の通水路と浄水の通水路とを共通化することにより、例えば、吐水口３２ｄから浄水を吐出した後に原水としての水道水を吐出して、通水路である吐水用導水管３４、吐水流路４４、及び、吐水パイプ４２ｃの内部に残留している浄水を水道水によって洗浄することができ、浄水が通過する全ての通水路内部で雑菌が発生することを防止することができる。
【００２９】
即ち、浄水器３６から供給される浄水は、該浄水器３６により水道水中に含まれている残留塩素が除去されているので、吐水口３２ｄから浄水を吐出した後に、通水路内部に残留した浄水が長時間滞留したままになると、雑菌が発生する恐れがある。しかし、原水用導水管３３からの水道水には残留塩素が含まれているため、浄水の吐水後に水道水を吐出して通水路内部を洗浄すると、水道水の残留塩素により殺菌されて、通水路内部で雑菌が発生することを防止できる。
一般的に、複合単水栓３２から浄水を吐出する頻度は少なく、原水である水道水の吐水頻度が多いので、通常に使用していれば、浄水の吐水後、短時間の内に水道水が吐出されることとなり、雑菌の発生を抑えて、浄水が通過する全ての通水路内を衛生的に保つことができる。
【００３０】
【発明の効果】
本発明は以上の如く構成したので、次のような効果を奏するのである。即ち、請求項１記載の如く、単水栓には、原水を該単水栓に供給する原水用導水管、浄水器の出口部に連結された吐水用導水管、浄水器の入口部に連結された浄化用水供給管、及び、浄水器の出口部に連結された原水供給管が嵌入しており、前記原水用導水管を通じて単水栓に供給された原水は、前記切換装置の操作により、前記浄化用水供給管を通じて浄水器の入口部へ、又は原水供給管を通じて浄水器の出口部へ送出され、前記浄水器の入口部へ送出された原水は、該浄水器で浄化された後に浄水として前記吐水用導水管を通じて複合単水栓へ送出され、前記浄水器の出口部へ送出された原水は、そのままの状態で吐水用導水管を通じて複合単水栓へ送出されるので、
また、請求項２記載の如く、前記吐水用導水管及び原水供給管は二管ジョイントを介して浄水器の出口部に接続されており、前記二管ジョイントは、前記原水供給管から二管ジョイント内に原水が流入した場合には、原水が吐水用導水管を通じて複合単水栓へ供給されて、出口部から浄水器内には浸入しないように構成され、浄水器の出口部から二管ジョイント内に浄水が流入した場合には、浄水が吐水用導水管を通じて複合単水栓へ供給されて、原水供給管には流れ出さないように構成されているので、
例えば、複合単水栓から浄水の吐水を行った後に原水として水道水を吐出して、浄水器の出口部よりも下流側の通水路、つまり前記吐水用導水管、吐水流路、及び、吐水パイプの内部に残留している浄水を水道水によって洗浄することができ、浄水が通過する全ての通水路内部で雑菌が発生することを防止することができる。これにより、複合単水栓を衛生的な状態に保持することができる。
また、原水及び浄水の通水路の配管を減少することができて、複合単水栓のコストダウンを図ることが可能となる。
【図面の簡単な説明】
【図１】  本発明の複合単水栓及び給水管路を示す正面図である。
【図２】  同じく側面図である。
【図３】  水栓本体内部を示す正面断面図である。
【図４】  同じく平面断面図である。
【図５】  原水の吐水状態にある水栓本体内部を示す平面断面図である。
【図６】  複合単水栓及び給水管路の別実施例を示す背面図である。
【図７】  浄水器の出口部の二管ジョイントを示す側面断面図である。
【図８】  図６における複合単水栓の水栓本体内部を示す正面断面図である。
【図９】  同じく平面断面図である。
【図１０】  原水の吐水状態にある図６における複合単水栓の水栓本体内部を示す平面断面図である。
【図１１】  同じく浄水の吐水状態にある水栓本体内部を示す平面断面図である。
【符号の説明】
２  複合単水栓
２ａ  水栓本体
２ｂ  切換操作レバー
２ｄ  吐水口
３・４  導水管
５ａ・５ｂ  止水栓
６  浄水器
６ａ  入口部
６ｂ  出口部
７  給水管
１１  原水流路
１２  浄水流路
１３  吐出流路
１５  切換弁
１５ａ  切換流路
１５ｂ  切換連通口
【図１】
0004202481.tif 000002
【図２】
0004202481.tif 000003
【図３】
0004202481.tif 000004
【図４】
0004202481.tif 000005
【図５】
0004202481.tif 000006
【図６】
0004202481.tif 000007
【図７】
0004202481.tif 000008
【図８】
0004202481.tif 000009
【図９】
0004202481.tif 000010
【図１０】
0004202481.tif 000011
【図１１】
0004202481.tif 000012